(57)【要約】【課題】押込み部材に付着した材料を適宜除去できるようにすることで、材料の歩留まりを向上させ、製品不良発生の抑制する。【解決手段】先端部に射出ノズルを取付けると共に内部に射出スクリュを回転及び進退自在に挿通したバレルと、同バレル後部の成形材料供給口位置に配設したホッパーと、同ホッパー内に予め供給された前記成形材料を同ホッパー底部開口を介して前記バレル内側へ押込むための第１駆動手段とからなる射出成形機の成形材料供給装置において、前記第１駆動手段に付着した物質を除去する付着物質除去手段を有する。【選択図】        図１
2004299138.tif 000002
【特許請求の範囲】
【請求項１】
先端部に射出ノズルを取付けると共に内部に射出スクリュを回転及び進退自在に挿通したバレルと、同バレル後部の成形材料供給口位置に配設したホッパーと、同ホッパー内に予め供給された前記成形材料を同ホッパー底部開口を介して前記バレル内側へ押込むための第１駆動手段とからなる射出成形機の成形材料供給装置において、前記第１駆動手段に付着した物質を除去する付着物質除去手段を有する成形材料供給装置。
【請求項２】
前記付着物質除去手段は、気体を噴射するエアブロアーであることを特徴とする請求項１記載の成形材料供給装置。
【請求項３】
前記付着物質除去手段は、付着物質をかき取り用の刃を有するかき取り手段であることを特徴とする請求項１記載の成形材料供給装置。
【請求項４】
前記成形材料供給装置は、さらに前記ホッパーを上部から遮蔽するホッパー蓋を有することを特徴とする請求項１記載の成形材料供給装置。
【請求項５】
前記かき取り手段は、前記ホッパー蓋のホッパー側内面に鉛直下方に突出して設けられ、前記ホッパー蓋の中央を貫通して下端部に前記第１駆動手段を上下に移動および回転可能に接続される支持部材と、前記支持部材を上部で回転駆動可能に軸支する駆動部とからなる請求項４記載の成形材料供給装置。
【請求項６】
請求項５において、前記かき取り手段は、スクレイパーであることを特徴とする成形材料供給装置。
【請求項７】
請求項１乃至６記載の成形材料供給装置を搭載したことを特徴とする射出成型機。
【請求項８】
先端部に射出ノズルを取付けると共に内部に射出スクリュを回転及び進退自在に挿通したバレル、同バレル後部の成形材料供給口位置に配設したホッパー、同ホッパー内に予め供給された前記成形材料を同ホッパー底部開口を介して前記バレル内側へ押込むための第１駆動手段、射出工程中前記射出スクリュを前進移動せしめる第２駆動手段、計量工程中前記射出スクリュを回転せしめる第３駆動手段及び前記第１駆動手段の駆動により発生する押込み力を測定する押込力検出手段を備えた射出装置と、前記射出装置の各駆動手段に対する駆動指令信号を生成すると共に同各駆動手段からの駆動に関わる検出信号を受けてデータメモリにストアするコントローラとを有する射出成形機であって、前記コントローラは、前記駆動指令信号を生成する手段として前記射出装置の第１駆動手段、第２駆動手段及び第３駆動手段にそれぞれ対応する押込工程、射出工程及び計量工程における指令制御プログラムを格納するプログラムメモリを有しており、さらに前記押込工程における指令制御プログラムは前記射出工程の進行中に遂行され、前記第１駆動手段は射出動作中前記コントローラからの駆動指令信号に応答して押込み力を発生させることを特徴とする射出動作中ホッパー内の成形材料に対し押込み力を与える射出成形機において、
前記第１駆動手段に付着した物質を除去する付着物質除去手段を有する射出成形機。
【発明の詳細な説明】
【０００１】
【産業上の利用分野】
本発明は、射出成形機等の成型機に対して成形材料を供給する装置に関し、特に押し込みピストンとホッパーの隙間より押し込みピストン上部へ漏れ出した材料を除去できるようにした射出成形機の成形材料供給装置及び射出成形機に関する。
【０００２】
【従来の技術】
射出成形機による成形用プラスチック材料には様々なものがあるが、これらを大別するとＰＥ、ＰＥＴ（ポリエチレン、ポリエチレンテレフタレート）等の熱可塑性材料と、メラニン、尿素樹脂等の熱硬化性材料及び、シリコンゴムやＢＭＣ（Ｂｕｌｋ  Ｍｏｄｕｌｕｓ  Ｃｏｍｐｏｕｎｄ）等の熱硬化性に近い材料とに分けることができる。
【０００３】
前記熱可塑性の成形材料は予めペレット状に加工されており、ペレットとして射出成形機のホッパーに投入される。また、前記熱硬化性の成形材料は粉末状である。しかるに、前記ＢＭＣや、シリコンゴム等のゴム系の成形材料はシート状または円柱・円筒状のものが成形材料として市場に供給されている。なお、本願出願人は、シート状あるいは円筒状の成形材料をホッパー内に効率よく供給及び切換える装置をすでに提案している。
【０００４】
【特許文献１】
実公平７−５３９５６号公報
【０００５】
このようなＢＭＣやゴム系成形材料（以下単に成形材料という）はその製造段階で加硫されまた、揮発性の成分を多く含むためその保管・搬送に際しても劣化即ち、揮発性成分が材料中に保存されるべく外気に曝されないよう細心の注意が払われている。（例えば揮発性成分の少なくなった前記成形材料を用いて射出成形するとその成形品には白濁が現れ成形品質を損なうこととなる。）
【０００６】
さらに、この成形材料が射出成形機のバレル内で射出スクリュによる過度のせん断や加熱を受けその有効揮発性成分が散逸しないよう計量工程時の運転条件にも注意が払われている。
【０００７】
また、ペレットとは異なり、この成形材料はホッパーから自重によりバレル開口部を通ってバレル内側へ落下・供給できないためホッパー内にて成形材料の上端面部分を下方に向けて押圧し、成形材料をバレル開口部へ押込むための押込み手段が必要である。この押込み手段による成形材料の押圧は、通常、計量工程即ち、射出スクリュを回転させながら可塑化された成形材料がバレル先端部に送られて滞留し、その滞留量が所定量に達するまで射出スクリュは滞留量に応じて後退する工程の間続けられる。
【０００８】
ここで、押込み手段である押し込みピストンがホッパー内の成形材料を押し込む。このホッパー内周とピストン外周とは、シールできるような構造としているが、その間隙はゼロではない。間隙をゼロとして完全に密閉すると押し込み時の摩擦による抵抗が増大するためである。この間隙を有するために、ピストンを押しみのために加圧するとホッパー内部にある成形材料が間隙を通過して押し込みピストンの上面まで吹き上げられる。この吹き上げられた成形材料は、押し込みピストンに付着したままとなることがある（図９）。
【０００９】
【発明が解決しようとする課題】
間隙から吹き上げられてピストンに付着した成形材料は、大気に暴露されて有効成分のうち揮発成分が気化して失われやすくなる。材料の中には、揮発成分が少なくなると、成形性は悪くなると共に、製品にも不具合が発生するようになるものがある。
【００１０】
そのような場合、この揮発成分の少なくなった材料が、ピストンから剥離して吹け上がり何らかの拍子にピストン下部の材料の中に混入したりすると、製品が不良品となってしまうことがある。
【００１１】
また、そのような不具合には至らなくても、あまり吹け上がると、材料の歩留まりも低下する。そこで、このような問題を解決するために材料の追加投入時、又は成形中にその都度作業者がホッパーの内部及びピストンを清掃することで、ピストンに付着した成形材料を除去することとなる。
【００１２】
しかし、付着した成形材料を除去するための清掃は、かなりの頻度で行なうことを要求される。また、その頻度を少なくした場合、付着した成形材料が劣化するため、この劣化した成形材料を剥離する清掃は完全に排除して行なう必要がある。このため、清掃作業自体は完全性を要求されるため非常に集中力を必要とし、神経が疲労する作業となっている。さらに、その作業を行なうための環境も、必ずしも望ましい環境ではない。この吹き上げた成形材料を処理するに際し、出願人は、その方法として２つの手法があることをつきとめた。すなわち、第１の手法は、付着した成形材料が劣化する前にホッパー内に戻す手法である。第２の手法は、付着し劣化してしまった成形材料を、射出成形機のホッパ口から十分離れたところでかき落とす手法である。
【００１３】
従って、本発明の目的は、押込み部材に付着した材料を適宜除去できるようにすることで、材料の歩留まりを向上させ、製品不良発生の抑制を目的とするものである。
【００１４】
【課題を解決するための手段】
前記目的を達成するための本発明による成形材料供給装置は、先端部に射出ノズルを取付けると共に内部に射出スクリュを回転及び進退自在に挿通したバレルと、同バレル後部の成形材料供給口位置に配設したホッパーと、同ホッパー内に予め供給された前記成形材料を同ホッパー底部開口を介して前記バレル内側へ押込むための第１駆動手段とからなる射出成形機の成形材料供給装置において、前記第１駆動手段に付着した物質を除去する付着物質除去手段を有する。
【００１５】
前記付着物質除去手段は、気体を噴射するエアブロアーであってもよく、又は付着物質をかき取り用の刃を有するかき取り手段であってもよく、前記成形材料供給装置は、さらに前記ホッパーを上部から遮蔽するホッパー蓋を有することもできる。また、前記かき取り手段は、前記ホッパー蓋のホッパー側内面に鉛直下方に突出して設けられ、前記ホッパー蓋の中央を貫通して下端部に前記第１駆動手段を上下に移動および回転可能に接続される支持部材と、前記支持部材を上部で回転駆動可能に軸支する駆動部と構成されてもよい。前記かき取り手段は、スクレイパーであってもよい。
【００１６】
本発明による射出成型機は、前記成形材料供給装置を搭載したことを特徴とする。
【００１７】
また、本発明による射出成型機は、先端部に射出ノズルを取付けると共に内部に射出スクリュを回転及び進退自在に挿通したバレル、同バレル後部の成形材料供給口位置に配設したホッパー、同ホッパー内に予め供給された前記成形材料を同ホッパー底部開口を介して前記バレル内側へ押込むための第１駆動手段、射出工程中前記射出スクリュを前進移動せしめる第２駆動手段、計量工程中前記射出スクリュを回転せしめる第３駆動手段及び前記第１駆動手段の駆動により発生する押込み力を測定する押込力検出手段を備えた射出装置と、前記射出装置の各駆動手段に対する駆動指令信号を生成すると共に同各駆動手段からの駆動に関わる検出信号を受けてデータメモリにストアするコントローラとを有する射出成形機であって、前記コントローラは、前記駆動指令信号を生成する手段として前記射出装置の第１駆動手段、第２駆動手段及び第３駆動手段にそれぞれ対応する押込工程、射出工程及び計量工程における指令制御プログラムを格納するプログラムメモリを有しており、さらに前記押込工程における指令制御プログラムは前記射出工程の進行中に遂行され、前記第１駆動手段は射出動作中前記コントローラからの駆動指令信号に応答して押込み力を発生させることを特徴とする射出動作中ホッパー内の成形材料に対し押込み力を与える射出成形機において、前記第１駆動手段に付着した物質を除去する付着物質除去手段を有することもできる。
【００１８】
【作用】
第１駆動手段の上部に成形材料が付着した場合に第１駆動手段の上面がかき取り部材と接するまで第１駆動手段上昇させて、第１駆動手段を駆動部で回転させることで前記成形材料をかき取り部材がかき取りホッパー下部へかき落とすことができる。
【００１９】
【発明の実施の形態】
以下に本発明に係る実施態様の実施例について図１乃至図７を参照して詳細に説明する。先ず、付着した成形材料が劣化する前にホッパー内に戻す手法を実現するための装置について図１を用いて説明する。
【００２０】
本発明に係る成形材料供給装置は、２段型ホッパー８０とこの２段型ホッパー８０上部を遮蔽するホッパー蓋８２と、油圧シリンダ３２と同シリンダ３２のロッド７６下端に取付けられホッパー８０内の成形材料に対し２段型ホッパー８０の上部開口から下方に向けて押込み力を発生させるための押込み部材３０とから構成される。
【００２１】
２段型ホッパー８０は、ホッパー８０がバレル１４に接合するために円錐状のテーパ部８４と、その上部に配置する円筒形部８６と、さらに上端の開口部近傍のホッパー径が順次拡大される上段テーパ部８８と、前記上段テーパ部８８の上段に連設される拡大円筒部９０とから構成される。
【００２２】
ホッパー蓋８２は、その直径が拡大円筒部９０と同程度であり、端部は垂下される。また、ホッパー蓋８２の中央にはロッド７６貫通用の穴部９２が開口する。ホッパー蓋８２の背面に、蓋部中心から押込み部材３０の半径と同一の距離の点から中心側に、歯を垂下させたスクレイパ９４が設けられる。このスクレイパ９４の下端部は押込み部材３０が最上端に位置した際にその上面に当接するよう配置される。ここで、拡大円筒部９０の高さは、押込み部材３０の高さとスクレイパ９４の高さをあわせたものより長く、また拡大円筒部９０の内径は押込み部材３０の直径をより十分大きく設定される。
【００２３】
ロッド７６には、さらに上部に設けられるモータの回転軸とベルトまたはギア等を用いてロッド７６の移動軸を中心に回動可能に支持される。
【００２４】
以上のように構成した状態で、２段型ホッパー８０下部にある成形材料９８をロッド７６が押込み部材３０と共に２段型ホッパー８０下部へ移動して、成形材料９８を押圧することで、成形材料９８をバレル１４内に供給する。このとき、成形材料９８の一部は、押込み部材３０と円筒形部８６の空隙から上昇して押込み部材３０上部に到達してその上面に付着する。
【００２５】
そこで、押込み部材３０を定期的または、その他の間隔で押込み部材３０を上昇させその上面がスクレイパ９４と当接する高さまで上昇させる。このときに、前記モータで駆動しスクレイパ９４に当接した押込み部材３０を回転させる。
【００２６】
このため、スクレイパ９４の端部が押込み部材３０に当接して回転するため、付着した成形材料９８は剥離されてその一部は拡大円筒部９０を介して２段型ホッパー８０下部の成形材料９８内に落下して、次回の成形に利用される。
【００２７】
ここで、剥離された成形材料９６がより押込み部材３０よる排出されやすくするために、スクレイパの刃の向きを半径方向から傾けて配置する。さらに、排出を促進するために、エアーブロアーをホッパー蓋８２の中央の開口部９２または拡大円筒部９０の側面に開口部に接続させてエアーで剥離した成形材料９６を落下させてもよい。ここで、エアー中に成形材料９８の揮発成分を混入してブローすることで成形材料９８中の揮発成分を補うようにすると好適である。
【００２８】
次に、付着し劣化してしまった成形材料は、射出成形機のホッパ口から十分離れたところでかき落とす第２の手法を実現する構成を図２を用いて説明する。
【００２９】
図２の（Ａ）は、本発明に係る射出成形機をバレル１４方向から見た側面図であって、成形時の状態を示し、（Ｂ）は、原料投入時および清掃時を示し、（Ｃ）は、（Ａ）におけるＡ−Ａ断面図を示す。
【００３０】
本発明に係る第２の成形材料供給装置は、１組の下部フレーム１０４上に立設された４本柱部２５がシリンダ取り付けプレート２８を支持し、シリンダ取り付けプレート２８の中央に立設されるシリンダ３２が、押し込み部材３０を懸吊する。
【００３１】
シリンダ取り付けプレート２８の下面には、押し込み部材３０をかき取る為のスクレーパ１０２が下方向に突設される。
【００３２】
一方、下部フレーム１０４の裏面には複数のキャリッジ１０６が設置され、このキャリッジ１０６は射出成形機上に配置されるガイドレール１１０に係合しレール１１０に沿って移動可能に設置される。
【００３３】
下部フレーム１０４側部には、係合ガイド１０８が固定され、この係合ガイド１０８の下部に油圧シリンダ１１２のロッド側端部１１４が固定され、ロッド側端部１１４に接合されるロッド１１６が挿入されるシリンダのもう一方の端部は、射出成形機本体と接続される。このレール１１０は、バレル１４と垂直方向に配置される。
【００３４】
以上の構成において、図２（Ｃ）に示す柱部２５は、いずれもホッパー２６と干渉しないためレール１１０に沿って、図２（Ｂ）に示すように押し込み部材３０を含むシリンダ取り付けプレート２８全体が移動可能であり、その動作を追って説明する。
【００３５】
第１の工程は清掃状態への移動工程であり、図２（Ｂ）に示すようにホッパー２６から離れた位置までシリンダ取り付けプレート２８他を移動させる。
【００３６】
第２の工程である除去清掃工程は、移動後に押込み部材３０を上昇させて、押込み部材３０の上面に付着した成形材料をスクレーパ１０２でかき取る。このため、押込み部材３０の上面に付着した成形材料は一切ホッパー２６内に落下することなく処分されうる。
【００３７】
第３の工程が成形材料投入工程で有り、ホッパー２６はその上方が大きく空いているので成形材料が投入しやすい。
【００３８】
第４の工程はシリンダ取付プレート２８他を成形時の位置へ戻す工程である。ホッパー２６へ押込み部材３０を降下させ、成形材料を押圧できるよう、シリンダ取付プレート２８他を固定する。
【００３９】
次に、付着し劣化してしまった成形材料を、射出成形機のホッパ口から十分離れたところでかき落とす第３の手法を実現する構成を図３を用いて説明する。
【００４０】
第２の実施例との違いは、シリンダ取り付けプレート２８の移動に伴ってホッパー１１８が移動する点である。ホッパー１１８は、下部フレーム１０４と連接することで下部フレーム１０４と同時に移動可能となる。また、別途ホッパー１１８と別にレールを設けホッパー用キャリッジがレール上を摺動させて移動させれば、ホッパー１１８のみの移動も可能となる。
【００４１】
ホッパー１１８を移動することで清掃時にホッパー１１８単体の清掃が容易となると同時に成形機のホッパ口の清掃も非常に容易となる効果が生じる。
【００４２】
図２は、ＢＭＣ，ゴム等の成形材料からなる成形品を射出成形するための射出成形機における射出装置の正面図である。図２は、成形材料が射出スクリュ内へ供給される部分を示す射出スクリュの拡大縦断面図であり，さらに図３は、図２のＺ−Ｚ線矢視図であって成形材料供給口の形状を示す。
【００４３】
図２において、射出成形機の射出装置側に配置された基台ＢＳには支持台１０が載置されている。前記支持台１０には、射出スクリュ１６を回転可能且つ進退可能に挿通するバレル１４を貫通させ、且つ締結手段１２Ａにより固定するためのバレル支持部１２が配設されている。さらに、バレル１４の左方側外周部分にはバンドヒータ１８が配設されバレル１４内部を加熱するようになっている。
【００４４】
参照符号２０は射出ノズルであって、バレル１４左端部に取付けられたノズル支持体２４の左端部に取付けられている。なお、参照符号１６Ａは射出スクリュ１６の軸部、１６Ｂ（図２参照）は射出スクリュ１６の先端近傍に取付けられたシールリングであって、計量時における溶融樹脂の逆流を防止する。
【００４５】
前記バレル支持部１２のバレル１４上部には、成形材料をバレル１４を介して射出スクリュ１６の溝部へ供給するためのホッパー２６が配設されている。さらに、バレル支持部１２の上端部にはガイド２２が配設されている。このガイド２２上には、上端部に圧力センサ３２Ａを設けた油圧シリンダ３２と同シリンダ３２のロッド下端に取付けられホッパー２６内の成形材料に対しホッパー２６の上部開口から下方に向けて押込み力を発生させるための押込み部材３０を有する押込み装置ＰＳＤが設けられている。
【００４６】
即ち、図示の如く、この押込み装置ＰＳＤは、さらに、前記ガイド２２上において図の紙面垂直方向に摺動可能に立設されたフレーム体２５とその頂部に固定したシリンダ取付けプレート２８ならびに、図示しないが前記フレーム体２５を前記ガイド２２に沿って移動せしめる駆動部を有する。
【００４７】
この駆動部は、ホッパー２６の上部開口から成形材料を新たに供給する作業あるいは、ホッパー２６自体の清掃、取付け、分解等の作業時に前記押込み部材３０、フレーム体２５を移動させて、ホッパー２６の開口部上方にスペースを確保するものである。
【００４８】
前記支持台１０の右方上面にはガイド３４が配設され、同ガイド３４上には射出スクリュ２６の軸部１６Ａに係合部３６を介し回転力を与える回転伝達装置４２が搭載されている。前記係合部３６は射出スクリュ１６の軸方向の移動はナット４２Ｂにより規制され回転のみを伝達可能に構成されている。
【００４９】
前記回転伝達装置４２の上方には支持台４０を介して計量用のサーボモータ３８が配設されている。従って、サーボモータ３８の回転はカバー４２Ａ内側のプーリ、タイミングベルトを介して下方の回転伝達装置４２へ伝達され、さらに前記係合部３６を介して射出スクリュ１６の軸部１６Ａへ与えられる。
【００５０】
また、回転伝達装置４２はガイド３４上にてＸ方向に摺動可能に配設されている。図示しないが、前記回転伝達装置４２及び射出スクリュ１６をＸ方向に移動せしめる射出用の射出シリンダが前記バレル支持部１２に射出スクリュ１６と並列に配設されており、その各シリンダのピストンロッド端部は回転伝達装置４２に固定されている。
【００５１】
図３において、バレル１４の左方部外周面には前述の如く、バンドヒータ１８が取付けられている。ホッパー２６の底部２６Ａはバレル１４内に開口しており、成形材料はその開口を介してバレル１４内の射出スクリュ１６の溝に供給されるようになっている。
【００５２】
参照符号３６Ａは係合部３６を構成している回転力伝達部材であり、射出スクリュ１６の軸部１６Ａの右端部において同軸部１６Ａとスプライン結合している。
【００５３】
図４は前記の如く、図２のＺ−Ｚ線矢視図であり、ホッパー２６の底部２６Ａは楕円状に形成されたバレル１４の供給口内に気密的に挿入されている。従って、ホッパー２６内部の成形材料は上方から押込み部材３０で押圧されると開口部２６Ｂを介して射出スクリュ１６の溝内へ圧入されるようになっている。
【００５４】
図５は、本発明が適用される射出成形機の各種駆動機構における駆動制御の構成をブロック図で示す。同図４において、参照符号５０は型締装置側に配設される型開閉及び型締駆動機構を示し、センサ部５０Ｓは同型開閉及び型締駆動機構５０の駆動に関わる物理量を検出する各種の検出器群を総称するものである。そして、ライン５０ＳＧはセンサ部５０Ｓからインターフェイスユニット５８を経て射出成形機のコントローラ６０へ与えられる各種検出信号の伝達ラインを総称するものである。又、ライン５０Ｄは前記コントローラ６０からインターフェイスユニット５８を経て前記駆動機構５０へ与えられる各種駆動指令信号の伝達ラインを総称するものである。
【００５５】
同様にして、参照符号５２は射出駆動機構であって、前述した射出シリンダはその駆動部として機能する。センサ部５２Ｓを構成するものとしては射出スクリュ１６の位置及び／または速度を検出する位置検出器、射出シリンダの背圧を検出する圧力センサ等が該当する。なお、前記速度は直接速度を検出する検出器であってもよいが、コントローラ６０で位置信号を微分して速度信号を生成することも可能である。また、前記射出シリンダの代わりに、電動型射出成形機のように、射出駆動力をサーボモータやリニアモータを用いて発生させるようにしてもよい。その場合ライン５２ＳＧを通るセンサ部５４Ｓからの信号としては前記モータの電機子電流値及び別途射出スクリュ軸上に設けたロードセルにより検出した背圧に相当する負荷の値がそれに相当する。
【００５６】
同様に、計量駆動機構５４では計量用のサーボモータ３８（図１参照）により計量機構における駆動力を発生させるようになっており、所定の背圧条件のもとで計量動作が遂行される。センサ部５４Ｓからは前記サーボモータ３８に流れる電機子電流値が電流検出器で検出され、ライン５４ＳＧを介して与えられる。その際、ライン５４Ｄには前記サーボモータ３８への指令電流値として与えられる。
【００５７】
さらに、参照符号５６は押込み装置（ＰＳＤ）の駆動機構である。同駆動機構５６において、押込み力を発生するものとして前述したように、シリンダ３２が設けられており、同シリンダ３２による押込み部材３０の下降中または下降限等の位置検出器及びシリンダ３２の上部に設けた圧力検出器３２Ａ等がセンサ部５６Ｓを構成する。なお、前記駆動機構５６には上記のほか図１にて説明したようにフレーム体２５の移動及び位置制御も含まれるがその説明は省略する。前記センサ部５６Ｓからの信号はライン５６ＳＧを介してコントローラ６０へ与えられる。また、ライン５６Ｄを介して駆動機構５６の各駆動部に駆動指令が与えられる。なお、シリンダ３０に代わりに電動サーボモータまたは油圧モータならびに回転を直線移動に変換するメカニズムを用いてもよい。
【００５８】
参照符号７０は油圧ユニットである。同ユニット７０には前記各駆動機構５０、５２及び５６の油圧シリンダへの圧油の給排を行う電磁弁、方向切換弁、電磁流量制御弁並びに圧力検出器等が配設されている。これら各弁への指令信号はライン７０Ｄを介して与えられ、各検出器からの信号はライン７０ＳＧを介してコントローラ６０に与えられる。
【００５９】
前記コントローラ６０は、中央演算処理装置ＣＰＵとデータメモリＤＭ及びプログラムメモリＰＭと前記インターフェイスユニット５８とで基本的に構成されバスラインＢＳを介して互いに接続されている。データメモリＤＭには前記各駆動機構を適切に駆動するための位置、速度、ストローク量等のパラメータの設定値や射出速度パターンデータが予め格納されている。プログラムメモリＰＭのメモリ領域６２には、射出工程を駆動制御するための一連の指令群からなる射出工程制御プログラムが格納されている。同様に、メモリ領域６４、６６、６８には、それぞれ計量工程制御プログラム、押込工程制御プログラム、型締工程制御プログラムが格納されている。
【００６０】
参照符号６９は、前記各制御プログラムの実行開始や終了に関する工程間のシーケンスならびにシステム全体の制御、モニタリング等を遂行するプログラムが格納されている。
【００６１】
本発明においては、図６に示されるように、従来独立して行われていた計量工程進行中における押込み動作を射出工程進行中にも遂行し、さらにその押込み動作中の押込み力即ち、ホッパー内での成形材料に対する加圧力をそれぞれ射出圧力、射出スクリュ回転駆動力と関連させて制御するものである。その押込み力制御の詳細を図５に示されるフローチャートを参照して以下に説明する。
【００６２】
図６において、今ステップＳＴ１で射出成形機が成形サイクル動作について「ＯＮ」状態であるとする。ステップＳＴ２で射出成形機の動作の種類即ち、工程の種類（射出工程、計量工程、型開閉及び型締工程等）について順次判定される。同ステップＳＴ２において、進行中の工程が射出動作であると判定された場合、ステップＳＴ３に移行し、同ＳＴ３で、検出された射出圧力Ｐが設定値ｘより大きい場合はステップＳＴ４においてホッパー２６内での加圧力を低下させるようシリンダ３２への圧油の供給が指令される。一方、ステップＳＴ３で射出圧力Ｐが設定値ｘより小さい場合は、ステプＳＴ５において、ホッパー２６内での加圧力を増加させるようシリンダ３２への圧油の供給が指令される。
【００６３】
また、前記ステップＳＴ２で判定が「ＮＯ」の場合はステップＳＴ６に移行し、同ＳＴ６において、進行中の工程が計量動作か否か判定される。計量動作と判定されると、ステップＳＴ７に移行し、同ＳＴ７において、さらに計量回転駆動中のスクリュ駆動力Ｆがその設定値ｙより大きいと判定されると、ステップＳＴ８において、前記加圧力を低下させるようシリンダ３２への圧油の供給が指令される。一方、前記ＳＴ７において、前記スクリュ駆動力Ｆがその設定値ｙより小さいと判定されると、ステップＳＴ９において、前記加圧力を増加させるようシリンダ３２への圧油の供給が指令される。
【００６４】
また、前記ステップＳＴ６において、さらに「ＮＯ」であるとステップＳＴ１０において、シリンダ３２への圧油の供給を停止するよう指令される。その結果、加圧力がなくなり、ホッパー２６からバレル１４内への成形材料の押込みは中断されることとなる。
【００６５】
なお、上記ステップＳＴ３、ＳＴ７でそれぞれ大小比較した結果その差が許容範囲を超えた場合に加圧力を増減させるようにしてもよい。図６において、射出圧力Ｐや可変の設定値ｘは本発明の射出工程における射出動作状態を反映する物理量に相当している。また、射出圧力の目標値である設定値ｘは予め射出時の圧力パターンデータとしてデータメモリＤＭ内に設定されており、通常射出ストローク位置またはゾーンに応じて変化する。
【００６６】
なお、上述した図２の説明では、押込み装置ＰＳＤはフレーム体２５を水平方向に移動させるように構成しているが、同フレーム体２５の高さを大きくすることによりその移動機構は不要である。さらに、ホッパー２６の上部側壁に開閉可能な成形材料の投入口を設けるようにすればホッパー２６の上面開口から成形材料を供給しなくて済むのでシリンダ３２のストローク量はそれだけ小さくなる。
【００６７】
また、図３に示すように、ホッパー２６の底部２６Ａはコーン状に形成されているがその下端の開口面積は、射出スクリュ１６の直径がホッパー２６の円筒部内径より小さいのでその円筒部の面積に比べかなり小さくなっており、結果として成形材料は絞られることとなる。成形材料に対しより効果的に押込み力を与えるためにホッパー底部の形状は必ずしもコーン状に限定されるものではない。
【００６８】
以上本発明の好適な実施例について説明をしたが、本発明は前記実施例に限定されることなく、その精神を逸脱しない範囲内において多くの設計変更が可能である。
【００６９】
【発明の効果】
本発明によれば、押込み部材の上部に付着して品質の変化した成形材料を剥離させることで、特に揮発成分の蒸発が問題となるような材料においては、スクレイパによる成形材料をかき取る頻度を高くすることで、揮発成分が少なくなって成形に適さなくなった材料が、供給しようとする材料に混入するのを防止することができる。
【００７０】
また、押込み部材に付着した材料を適宜除去できるようにすることで、材料の歩留まりを向上させ、製品不良発生を抑制させることが可能となった。
【図面の簡単な説明】
【図１】本発明が適用される射出成形機の成形材料供給装置の第１の実施例の断面図である。
【図２】本発明が適用される射出成形機の成形材料供給装置の第２の実施例の断面図であり、（Ａ）は、成形時を示し、（Ｂ）は清掃時を示し、（Ｃ）はＡＡ断面を示す。
【図３】本発明が適用される射出成形機の成形材料供給装置の第３の実施例の断面図であり、（Ａ）は、成形時を示し、（Ｂ）は清掃時を示す。
【図４】本発明が適用される射出成形機の射出装置の正面図である。
【図５】図４において、成形材料がホッパー底部から射出スクリュ内へ供給される部分を含む射出スクリュの拡大縦断面図である。
【図６】成形材料供給口の形状を示す、図５におけるＺ−Ｚ線矢視図である。
【図７】本発明の適用される射出成形機の各種駆動機構における駆動制御の構成を示すブロック図である。
【図８】本発明における押込工程制御プログラムの要部を説明するフローチャートである。
【図９】従来の射出成形機の成形材料供給装置の断面図である。
【符号の説明】
１０      支持台
１２      バレル支持部
１４      バレル
１６      射出スクリュ
１８      バンドヒータ
２０      射出ノズル
２２      ガイド
２４      ノズル支持体
２５      フレーム体
２６      ホッパー
２８      シリンダ取付けプレート
３０      押込み部材
３２      シリンダ
３４      ガイド
３６      係合部
３８      サーボモータ
４０      支持台
４２      回転伝達装置
５０      型開閉及び型締機構
５２      射出駆動機構
５４      計量駆動機構
５６      押込装置駆動機構
５８      インターフェイスユニット
６０      コントローラ
６２      射出工程制御プログラム
６４      計量工程制御プログラム
６６      押込工程制御プログラム
６８      型締工程制御プログラム
７０      油圧ユニット
７６      ロッド
８０      ２段型ホッパー
８２      ホッパー蓋
８４      テーパ部
８６      円筒形部
８８      上段テーパ部
９０      拡大円筒部
９２      穴部
９４      スクレイパ
９６      成形材料
９８      成形材料
１０２      スクレーパ
１０４      下部フレーム
１０６      キャリッジ
１１０      ガイドレール
１１２      油圧シリンダ
１１４      ロッド側端部
１１６      ロッド
１１８      ホッパー
【図１】
2004299138.tif 000003
【図２】
2004299138.tif 000004
【図３】
2004299138.tif 000005
【図４】
2004299138.tif 000006
【図５】
2004299138.tif 000007
【図６】
2004299138.tif 000008
【図７】
2004299138.tif 000009
【図８】
2004299138.tif 000010
【図９】
2004299138.tif 000011